(57)【特許請求の範囲】
【請求項１】
電池パックであって、
セルケースと、
前記セルケースに収容されている複数の電池セルと、
前記電池セルに接続され、互いに間隔を空けて配置されているとともに、前記セルケースの同一側面側に配置されている複数のリード板と、
１つまたは複数の絶縁シートを備えており、
前記１つまたは複数の絶縁シートのうちの少なくとも１つの絶縁シートは、１つの前記リード板を少なくとも部分的に覆い、別の前記リード板を覆わないように、当該１つの前記リード板の表面に貼着されており、
前記絶縁シートによって覆われていない前記リード板に隣接する前記リード板が、前記絶縁シートによって覆われていない前記リード板に隣接する側の端部において、前記絶縁シートによって少なくとも部分的に覆われている、電池パック。
【請求項２】
前記複数のリード板が、第１リード板と、前記第１リード板に隣接する第２リード板と、を備えており、
前記第１リード板は、前記絶縁シートによって部分的にのみ覆われており、
前記第２リード板は、前記絶縁シートによって覆われていない、請求項１に記載の電池パック。
【請求項３】
前記複数のリード板が、第３リード板と、第４リード板と、前記第３リード板と前記第４リード板の間に配置されており、前記第３リード板と前記第４リード板のそれぞれに隣接する第５リード板と、を備えており、
前記第３リード板および前記第４リード板は、前記絶縁シートによって覆われておらず、
前記第５リード板は、前記絶縁シートによって全体を覆われている、請求項１に記載の電池パック。
【請求項４】
前記１つまたは複数の絶縁シートのうちの少なくとも１つの絶縁シートは、前記１つの前記リード板の表面に貼着され、かつ前記セルケースの表面に貼着されている、請求項１〜３のいずれか一項に記載の電池パック。
【発明の詳細な説明】
【技術分野】
【０００１】
本明細書によって開示される技術は、電池パックに関する。
【背景技術】
【０００２】
特許文献１に、電池パックが開示されている。特許文献１の電池パックは、セルケースと、セルケースに収容されている複数の電池セルと、電池セルに接続され、互いに間隔を空けて配置されているとともに、セルケースの同一側面側に配置されている複数のリード板と、複数のリード板の表面にまたがって貼着される１つの絶縁シートと、を備えている。
【先行技術文献】
【特許文献】
【０００３】
【特許文献１】特開２０１２−４３７９０号公報
【発明の概要】
【発明が解決しようとする課題】
【０００４】
この種の電池パックにおいて、電池パック内に、水、異物などが混入する場合がある。電池パック内に混入した水、異物などがリード板の表面に接触し、隣接するリード板間が短絡する場合がある。例えば、電池パック内に混入した水がリード板の表面に接触した場合、リード板の一部が溶出し、溶出した成分を介して、隣接するリード板間が短絡する場合がある。特許文献１の電池パックでは、リード板の表面に絶縁シートを貼着することで、電池パック内に水、異物などが混入した場合に、隣接するリード板間が短絡することを防止している。具体的には、１つの絶縁シートにより複数のリード板の表面を覆っている。これにより、電池パック内に混入した水、異物などがリード板の表面に接触することを抑制し、隣接するリード板間が短絡することを抑制している。なお、特許文献１の電池パックにおいて、複数のリード板は互いに間隔を空けて配置されている。従って、１つの絶縁シートを複数のリード板に貼着させる場合、１つの絶縁シートは、複数のリード板間の隙間をまたいで貼着される。この場合、隣接するリード板間の隙間において、絶縁シートが剥がれる場合がある。絶縁シートが剥がれてしまうと、電池パックに混入した水、異物などが、リード板に接触し、隣接するリード板間が短絡してしまう可能性がある。
【課題を解決するための手段】
【０００５】
本明細書に開示の電池パックは、セルケースと、セルケースに収容されている複数の電池セルと、電池セルに接続され、互いに間隔を空けて配置されているとともに、セルケースの同一側面側に配置されている複数のリード板と、１つまたは複数の絶縁シートを備えている。１つまたは複数の絶縁シートのうちの少なくとも１つの絶縁シートは、１つのリード板を少なくとも部分的に覆い、別のリード板を覆わないように、当該１つのリード板の表面に貼着されている。
【０００６】
上記の電池パックでは、１つまたは複数の絶縁シートのうちの少なくとも１つの絶縁シートは、複数のリード板の表面を覆うことなく、１つのリード板の表面にだけ貼着されている。すなわち、１つまたは複数の絶縁シートのうちの少なくとも１つの絶縁シートは、複数のリード板の表面をまたいで貼着されていない。この場合、１つの絶縁シートを、１つのリード板の表面に適切に貼着させることができる。従って、リード板から絶縁シートが剥がれることを抑制することができる。これにより、電池パック内に水、異物などが混入した場合に、絶縁シートに覆われているリード板の表面に、水、異物などが接触することを抑制することができる。この結果、電池パック内に水、異物などが混入した場合に、絶縁シートに覆われているリード板と、該リード板に隣接するリード板とが短絡することを適切に抑制することができる。
【図面の簡単な説明】
【０００７】
【図１】実施例の電池パック２を後方上方から見た斜視図である。
【図２】実施例の電池パック２を取り付ける電動工具４を前方上方から見た斜視図である。
【図３】実施例の電池パック２を取り付ける電動工具４を前方下方から見た斜視図である。
【図４】実施例の電池モジュール６を左後方上方から見た斜視図である。
【図５】図４のV―V線に沿った断面図である。
【図６】実施例の電池モジュール６を右後方上方から見た斜視図である。
【図７】変形例１の電池モジュール６を左方から見た模式図である。
【図８】変形例２の電池モジュール６を左方から見た模式図である。
【図９】変形例３の電池モジュール６を左方から見た模式図である。
【図１０】変形例５の電池モジュール６を左方から見た模式図である。
【図１１】変形例６の電池モジュール６を左方から見た模式図である。
【発明を実施するための形態】
【０００８】
幾つかの実施形態に係る電池パックは、絶縁シートによって覆われていないリード板に隣接するリード板が、絶縁シートによって覆われていないリード板に隣接する側の端部において、絶縁シートによって少なくとも部分的に覆われていてもよい。
【０００９】
電池パック内に、水、異物などが混入した場合の隣接するリード板間の短絡は、１つのリード板の表面の露出部と、当該リード板に隣接するリード板の表面の露出部間の距離（以下、離間距離と呼ぶ）が短いほど発生しやすい。なお、露出部とは、リード板の表面のうち、絶縁シートに覆われていない部分のことである。上記の電池パックによれば、端部が絶縁シートによって覆われているリード板の露出部と、当該リード板に隣接するリード板の露出部の離間距離を長くすることができる。これにより、電池パック内に、水、異物などが混入した場合に、隣接するリード板が短絡することを抑制することができる。
【００１０】
幾つかの実施形態に係る電池パックでは、複数のリード板が、第１リード板と、第１リード板に隣接する第２リード板と、を備えていてもよい。この場合、第１リード板は、絶縁シートによって部分的にのみ覆われており、第２リード板は、絶縁シートに覆われていないとよい。
【００１１】
上記の電池パックによれば、絶縁シートを第１リード板の表面に部分的に貼着することで、第１リード板の表面に絶縁シートが貼着されていない場合に比べて、第１リード板と第２リード板の離間距離を、長くすることができる。これにより、電池パック内に、水、異物などが混入した場合に、第１リード板と第２リード板が短絡することを抑制することができる。また、第１リード板および第２リード板のそれぞれを絶縁シートで覆う場合や、第１リード板の全体を絶縁シートで覆う場合に比べて、絶縁シートの使用量を低減することができる。
【００１２】
幾つかの実施形態に係る電池パックでは、複数のリード板が、第３リード板と、第４リード板と、第３リード板と第４リード板の間に配置されており、第３リード板と第４リード板のそれぞれに隣接する第５リード板と、を備えていてもよい。この場合、第３リード板および第４リード板は、絶縁シートによって覆われておらず、第５リード板は、絶縁シートによって全体を覆われているとよい。
【００１３】
上記の電池パックによれば、電池パック内に水、異物などが混入した場合に、第５リード板の表面に、水、異物などが接触することを防止することができる。これにより、電池パック内に水、異物などが混入した場合に、第３リード板と第５リード板、または、第４リード板と第５リード板が短絡することを抑制することができる。また、第５リード板を絶縁シートで覆うことなく、第３リード板および第４リード板を絶縁シートで覆う場合に比べて、絶縁シートの使用量を低減することができる。
【００１４】
いくつかの実施形態による電池パックでは、１つまたは複数の絶縁シートのうちの１つの絶縁シートは、１つのリード板の表面に貼着され、かつセルケースの表面に貼着されていてもよい。
【００１５】
上記の電池パックによれば、１つのリード板の表面に貼着される絶縁シートは、当該リード板の端部を超えて、セルケースの表面にも貼着される。この場合、セルケースの表面に貼着されている部分の絶縁シートが剥がれても、リード板の端部に貼着されている部分の絶縁シートは剥がれていない可能性が高い。これにより、リード板の端部に貼着されている絶縁シートをはがれにくくすることができる。この結果、電池パック内に、水、異物などが混入した場合において、セルケースの表面に貼着されている部分の絶縁シートが剥がれた場合でも、リード板に水、異物などが接触することを抑制することができる。
【００１６】
（実施例）
以下では図面を参照しながら、実施例の電池パック２について説明する。なお、図４、６において、説明を分かり易くするために、リード板１８ｂ、１８ｅ、及び、凹部２１ｂ、２１ｅを２点鎖線で記載している。図１に示す電池パック２は、電動工具４（図２、図３参照）に着脱可能に取り付けることができる。図２、図３では、電動工具４が電動ドライバである場合を例示しているが、電動工具４は、例えば電動ドリル、電動グラインダ、電動マルノコ、電動チェーンソー、電動レシプロソー、電動芝刈り機、電動刈払機、電動ブロア等であってもよい。電動工具４に取り付けられると、電池パック２は、電動工具４に電力を供給する。また、電池パック２は、充電器（図示せず）に着脱可能に取り付けることができる。充電器に取り付けられると、電池パック２は、充電器から電力を供給される。なお、以下の説明では、電池パック２に関して、電動工具４や充電器に取り付けられた時に、電池パック２から見て電動工具４や充電器が位置する方向を上方といい、その反対方向を下方という。また、電池パック２に関して、電動工具４や充電器に取り付けられる時に、電池パック２をスライドさせる方向を後方といい、電動工具４や充電器から取り外される時に、電池パック２をスライドさせる方向を前方という。すなわち、以下の説明において、前後方向は、電池パック２を電動工具４または充電器に対してスライドさせるスライド方向に相当する。
【００１７】
電池パック２は、電池モジュール６（図４参照）と、電池モジュール６を収容するアウターケース８（図１参照）を備えている。アウターケース８は、全体が略直方体形状に形成されており、上部ケース１０と、下部ケース１２に分割されている。上部ケース１０と下部ケース１２は、ボルト等の締結具によって互いに固定されている。
【００１８】
図４から図６を用いて、電池モジュール６について説明する。図４に示すように、電池モジュール６は、セルケース１４と、制御基板１６を備えている。セルケース１４は、絶縁性の材料からなり、例えば、樹脂材料からなる。図５に示すように、セルケース１４には、１０本の電池セル１５ａ−１５ｊが上下方向の２段にて収容されている。なお、以下では、複数の電池セル１５ａ−１５ｊを区別なく表す場合に、「電池セル１５」と表記する。本実施例では、電池セル１５は、一方の端部に正極が形成され、他方の端部に負極が形成された、円筒形状の二次電池セル、例えばリチウムイオン電池セルである。電池セル１５は、上下方向に隣接する電池セル１５において正極から負極への向きが互いに同じ方向となるように配置されている。具体的には、電池セル１５ａと電池セル１５ｆ、電池セル１５ｂと電池セル１５ｇ、電池セル１５ｃと電池セル１５ｈ、電池セル１５ｄと電池セル１５ｉ、及び、電池セル１５ｅと電池セル１５ｊは、それぞれ、正極から負極への向きが互いに同じ方向である。また、電池セル１５は、前後方向に隣接する電池セル１５において正極から負極への向きが互いに逆方向となるように配置されている。具体的には、電池セル１５ａ、１５ｃ、１５ｅは、正極から負極への向きが同方向となるように配置されており、電池セル１５ｂ、１５ｄは、正極から負極への向きが電池セル１５ａ、１５ｃ、１５ｅとは逆方向になるように配置されている。電池セル１５ｆ−１５ｊについても同様に配置されている。それぞれの電池セル１５の正極および負極はセルケース１４の外部に露出しており、電池セル１５の一方の端部はセルケース１４の左側面側に設けられた金属製のリード板１８ａ―１８ｃに接続されており（図４参照）、電池セルの他方の端部はセルケース１４の右側面側に設けられた金属製のリード板１８ｄ−１８ｆに接続されている（図６参照）。図４に示すように、複数のリード板１８ａ−１８ｃは、互いに間隔を空けて配置されている。従って、複数のリード板１８ａ―１８ｃは、互いに絶縁されている。また、セルケース１４の左側面において、複数のリード板１８ａ―１８ｃが配置される位置には、複数の凹部２１ａ−２１ｃが設けられている。複数の凹部２１ａ−２１ｃのそれぞれの外郭は、複数のリード板１８ａ―１８ｃの外郭よりもわずかに大きい。複数のリード板１８ａ―１８ｃのそれぞれを、対応する凹部２１ａ−２１ｃに配置することで、複数のリード板１８ａ−１８ｃのそれぞれの表面と、複数のリード板１８ａ−１８ｃ間の隙間１９ａの表面とは、略面一になる。また、図６に示すように、複数のリード板１８ｄ―１８ｆも、互いに間隔を空けて配置されている。従って、複数のリード板１８ｄ―１８ｆは、互いに絶縁されている。また、セルケース１４の右側面において、複数のリード板１８ｄ―１８ｆが配置される位置には、複数の凹部２１ｄ−２１ｆが設けられている。複数の凹部２１ｄ−２１ｆのそれぞれの外郭は、複数のリード板１８ｄ―１８ｆの外郭よりもわずかに大きい。複数のリード板１８ｄ―１８ｆのそれぞれを、対応する凹部２１ｄ−２１ｆに配置することで、複数のリード板１８ｄ−１８ｆのそれぞれの表面と、複数のリード板１８ｄ−１８ｆ間の隙間１９ｂの表面とは、略面一になる。
【００１９】
上下方向に隣接する電池セル１５は、複数のリード板１８ａ−１８ｆによって、電気的に並列に接続されている。具体的には、電池セル１５ａと電池セル１５ｆ、電池セル１５ｂと電池セル１５ｇ、電池セル１５ｃと電池セル１５ｈ、電池セル１５ｄと電池セル１５ｉ、及び、電池セル１５ｅと電池セル１５ｊが、それぞれ、電気的に並列に接続されている。また、前後方向に隣接する電池セル１５は、複数のリード板１８ａ−１８ｆによって、電気的に直列に接続されている。具体的には、電池セル１５ａ−１５ｅ、および電池セル１５ｆ−１５ｊのそれぞれが、電気的に直列に接続されている。
【００２０】
図４に示すように、リード板１８ｂの表面全体およびリード板１８ｂに隣接する範囲のセルケース１４は、絶縁紙１７ａによって覆われている。電池パック２内には、外部から水、異物などが混入する場合がある。リード板１８ｂが絶縁紙１７ａに覆われていない場合、電池パック２内に混入した水、異物などが複数のリード板１８ａ−１８ｃの表面に接触する。例えば、電池パック２内に水が混入し、長時間、リード板１８ａ−１８ｃの表面に水が接触すると、リード板１８ａ−１８ｃの一部が溶出する。この場合、溶出した成分を介して、リード板１８ａとリード板１８ｂ、またはリード板１８ｂとリード板１８ｃが短絡する可能性がある。本実施例においては、絶縁紙１７ａにより、電池パック２内に混入した水、異物などが、リード板１８ｂの表面に接触することが抑制される。これにより、電池パック２内に水、異物などが混入した場合において、リード板１８ａとリード板１８ｂ、およびリード板１８ｂとリード板１８ｃの絶縁状態は維持される。従って、電池パック２内に水、異物などが混入した場合に、リード板１８ａとリード板１８ｂ、またはリード板１８ｂとリード板１８ｃが短絡することを抑制することができる。
【００２１】
また、図６に示すように、リード板１８ｅの表面全体およびリード板１８ｅに隣接する範囲のセルケース１４は、絶縁紙１７ｂによって覆われている。リード板１８ｅの表面に絶縁紙１７ｂが貼着されていない場合、電池パック２内に混入した水、異物などの影響で、リード板１８ｄとリード板１８ｅ、またはリード板１８ｅとリード板１８ｆが短絡する場合がある。本実施例においては、絶縁紙１７ｂにより、リード板１８ｅの表面に、電池パック２内に混入した水、異物などが接触することが抑制される。これにより、電池パック２内に水、異物などが混入した場合に、リード板１８ｄとリード板１８ｅ、またはリード板１８ｅとリード板１８ｆが短絡することを抑制できる。
【００２２】
図４に示すように、制御基板１６は、セルケース１４の上方に配置されている。制御基板１６は、上下方向に直交する面に沿うように配置されている。制御基板１６は、例えばボルト等の締結具を介してセルケース１４に固定されている。
【００２３】
制御基板１６の上面には、放電プラス端子２０と、充放電マイナス端子２２と、充電プラス端子２４と、放電禁止信号端子２６と、充電制御信号端子２８が設けられている。放電プラス端子２０は、電池パック２を電動工具４へ取り付けた場合に、電池パック２から電動工具４へ電力を供給する際のプラス端子として使用される。充放電マイナス端子２２は、電池パック２を電動工具４へ取り付けた場合に、電池パック２から電動工具４へ電力を供給する際のマイナス端子としても使用されるし、電池パック２を充電器へ取り付けた場合に、充電器から電池パック２へ電力を供給する際のマイナス端子としても使用される。充電プラス端子２４は、電池パック２を充電器へ取り付けた場合に、充電器から電池パック２へ電力を供給する際のプラス端子として使用される。放電禁止信号端子２６は、電池パック２を電動工具４へ取り付けた場合に、電池パック２から電動工具４への放電禁止信号を伝達するために使用される。充電制御信号端子２８は、電池パック２を充電器へ取り付けた場合に、電池パック２から充電器への充電制御信号を伝達するために使用される。
【００２４】
放電プラス端子２０は、図１に示す上部ケース１０の上面に形成された第１開口３０の内部に配置される。充放電マイナス端子２２は、上部ケース１０の上面に形成された第２開口３２の内部に配置される。充電プラス端子２４と放電禁止信号端子２６は、上部ケース１０の上面に形成された第３開口３４の内部に、前後に並んで配置される。充電制御信号端子２８は、上部ケース１０の上面に形成された第４開口３６から外部に露出している。
【００２５】
図２、図３に示すように、電動工具４は電池パック２が取り付けられる電池取付部３８を備えている。図３に示すように、電動工具４の電池取付部３８には、前後方向および上下方向に沿って配置された長方形状の平板状のプラス端子４０と、前後方向および上下方向に沿って配置された長方形状の平板状のマイナス端子４２と、前後方向および上下方向に沿って配置されたＬ字形状の平板状の信号端子４４が設けられている。信号端子４４は、長手方向が前後方向に沿う長辺部と、長辺部から伸びており、長手方向が上下方向に伸びる短辺部を備えている。なお、電動工具４を製品として完成した状態では、信号端子４４の長辺部は樹脂で覆われており、信号端子４４の短辺部のみが露出する。プラス端子４０と、マイナス端子４２は、前方側の端縁の角部が面取りされている。信号端子４４の短辺部は、前方側の端縁の角部と後方側の端縁の角部がそれぞれ面取りされている。
【００２６】
電池パック２を電動工具４に取り付ける際には、電動工具４に対して電池パック２を後方にスライドさせることによって、電動工具４のプラス端子４０、マイナス端子４２および信号端子４４が、電池パック２の第１開口３０、第２開口３２および第３開口３４の内部にそれぞれ入り込んで、放電プラス端子２０、充放電マイナス端子２２および放電禁止信号端子２６とそれぞれ係合して電気的に導通する。電池パック２を電動工具４から取り外す際には、電動工具４に対して電池パック２を前方にスライドさせることによって、電動工具４のプラス端子４０、マイナス端子４２および信号端子４４が、放電プラス端子２０、充放電マイナス端子２２および放電禁止信号端子２６から係合解除されて、電池パック２の第１開口３０、第２開口３２および第３開口３４から抜け出る。
【００２７】
同様に、図示はしていないが、充電器も電池パック２が取り付けられる電池取付部を備えている。充電器の電池取付部には、前後方向および上下方向に沿って配置された長方形状の平板状のマイナス端子と、前後方向および上下方向に沿って配置された長方形状の平板状のプラス端子と、信号端子が設けられている。
【００２８】
電池パック２を充電器に取り付ける際には、充電器に対して電池パック２を後方にスライドさせることによって、充電器のマイナス端子およびプラス端子が、第２開口３２および第３開口３４の内部にそれぞれ入り込んで、充放電マイナス端子２２および充電プラス端子２４とそれぞれ係合して電気的に導通するとともに、充電器の信号端子が、電池パック２の充電制御信号端子２８と係合する。電池パック２を充電器から取り外す際には、電池パック２を前方にスライドさせることによって、充電器のマイナス端子およびプラス端子が、充放電マイナス端子２２および充電プラス端子２４から係合解除されて、第２開口３２および第３開口３４から抜け出るとともに、充電器の信号端子が充電制御信号端子２８から係合解除される。
【００２９】
上述のように、リード板１８ｂの表面全体およびリード板１８ｂに隣接する範囲のセルケース１４は、絶縁紙１７ａによって覆われている（図４参照）。また、リード板１８ｂに隣接するリード板１８ａ、１８ｃの表面は、絶縁紙１７ａによって覆われていない。リード板１８ａとリード板１８ｂ、およびリード板１８ｂとリード板１８ｃと、を互いに絶縁するため、複数のリード板１８ａ−１８ｃは、互いに間隔を空けて配置されている。このため、仮に、１枚の絶縁紙１７ａを複数のリード板１８ａ−１８ｃに貼着させる場合、１枚の絶縁紙１７ａは、複数のリード板１８ａ−１８ｃ間の隙間１９ａをまたいで貼着させる必要がある。この場合、複数のリード板１８ａ−１８ｃ間の隙間１９ａにおいて、絶縁紙１７ａが剥がれやすい状態になる。一方、本実施例では、絶縁紙１７ａは、リード板１８ｂと、リード板１８ｂに隣接する範囲のセルケース１４と、にのみ貼着されており、隙間１９をまたいで他のリード板１８ａ、１８ｃに貼着されていない。このため、リード板１８ｂと、リード板１８ｂに隣接する範囲のセルケース１４と、に絶縁紙１７ａを適切に貼着させることができる。従って、１枚の絶縁紙で複数のリード板１８ａ−１８ｃを貼着する場合に比べて、絶縁紙１７ａを剥がれにくくすることができる。また、本実施例においては、リード板１８ｂと隙間１９ａは、略面一である。このため、リード板１８ｂと隙間１９ａの高さが異なる場合に比べて、絶縁紙１７ａを適切に貼着させることができる。このため、絶縁紙１７ａにより、電池パック２内に混入した水、異物などが、リード板１８ｂに接触することを抑制することができる。従って、電池パック２内に水、異物などが混入した場合でも、リード板１８ａとリード板１８ｂ、またはリード板１８ｂとリード板１８ｃの絶縁状態を維持することができる。この結果、電池パック２内に水、異物などが混入した場合に、リード板１８ａとリード板１８ｂ、またはリード板１８ｂとリード板１８ｃが短絡することを抑制することができる。
【００３０】
また、絶縁紙１７ａは、リード板１８ｂに隣接する範囲のセルケース１４に貼着されている。すなわち、絶縁紙１７ａは、リード板１８ｂの表面の端部を超えて貼着されている。この場合、絶縁紙１７ａのうち、セルケース１４に貼着されている部分が剥がれても、リード板１８ｂの端部が絶縁紙１７ａに覆われた状態は維持される。これにより、電池パック２内に混入した水、異物などが、リード板１８ｂに接触することをさらに抑制することができる。このため、電池パック２内に水、異物などが混入した場合に、リード板１８ａとリード板１８ｂ、またはリード板１８ｂとリード板１８ｃが短絡することをさらに抑制することができる。
【００３１】
また、リード板１８ｂにのみ絶縁紙１７ａを貼着するため、複数のリード板１８ａ−１８ｃのそれぞれに１枚ずつ絶縁紙１７ａを貼着する場合に比べて、絶縁紙１７ａの使用量を低減することができる。また、複数のリード板１８ａ−１８ｃのそれぞれに１枚ずつ絶縁紙１７ａを貼着する場合に比べて、絶縁紙１７ａを貼着する際の作業者の作業時間を短縮することができる。
【００３２】
なお、リード板１８ｅに貼着されている絶縁紙１７ｂについても、絶縁紙１７ａと同様の効果を奏する（図６参照）。具体的には、絶縁紙１７ｂにより、電池パック２内に混入した水、異物などが、リード板１８ｅに接触することを抑制することができる。従って、電池パック２内に水、異物などが混入した場合でも、リード板１８ｄとリード板１８ｅ、またはリード板１８ｅとリード板１８ｆの絶縁状態を維持することができる。これにより、電池パック２内に水、異物などが混入した場合に、リード板１８ｄとリード板１８ｅ、またはリード板１８ｅとリード板１８ｆが短絡することを抑制することができる。
【００３３】
ここで、実施例の記載と請求項の記載との対応関係を説明しておく。絶縁紙１７ａ、１７ｂが「絶縁シート」の一例である。リード板１８ａおよびリード板１８ｄが、「第３リード板」の一例である。リード板１８ｃおよびリード板１８ｆが「第４リード板」の一例である。リード板１８ｂおよびリード板１８ｅが、「第５リード板」の一例である。
【００３４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００３５】
（変形例１）
上記の実施例では、絶縁紙１７ａは、リード板１８ｂの表面全体を覆っている。しかしながら、図７に示すように、絶縁紙１１７ａは、リード板１１８ｂの端部を覆っているだけでもよい。具体的には、絶縁紙１１７ａは、リード板１１８ｂの表面において、リード板１１８ａに隣接する側の端部１２０ａと、リード板１１８ｃに隣接する側の端部１２０ｂに貼着されているとよい。この場合においても、絶縁紙１１７ａは、リード板１１８ａ、１１８ｃには貼着されない。このため、図４に示す絶縁紙１７ａと同様、リード板１１８ｂの端部１２０ａ、１２０ｂと、セルケース１４の表面と、に絶縁紙１１７ａを適切に貼着させることができる。また、リード板１１８ｂの端部１２０ａを絶縁紙１１７ａで覆うことで、リード板１１８ａの露出部とリード板１１８ｂの露出部間の離間距離を長くすることができる。なお、露出部とはリード板１１８ａ―１１８ｃの表面において、絶縁紙１１７ａによって覆われていない部分である。具体的には、図７に示すように、リード板１１８ｂの端部１２０ａを絶縁紙１１７ａで覆うことで、離間距離Ｌ１が、離間距離Ｌ１‘になり、離間距離を長くすることができる。離間距離が短いほど、電池パック２内に水、異物などが混入した場合に、リード板１１８ａとリード板１１８ｂは短絡しやすい。従って、リード板１１８ａの露出部とリード板１１８ｂの露出部間の離間距離を長くすることで、電池パック２内に水、異物などが混入した場合に、リード板１１８ａとリード板１１８ｂが短絡することを抑制することができる。また、リード板１１８ｂの端部１２０ｂを絶縁紙１１７ａで覆うことで、リード板１１８ｃの露出部とリード板１１８ｂの露出部間の離間距離を長くすることができる。具体的には、リード板１１８ｂの端部１２０ｂを絶縁紙１１７ａで覆うことで、離間距離Ｌ２が、離間距離Ｌ２‘になり、離間距離を長くすることができる。これにより、電池パック２内に、水、異物などが混入した場合に、リード板１１８ｂとリード板１１８ｃ間が短絡することを抑制することができる。なお、リード板１１８ｂが「第１リード板」の一例であり、リード板１１８ａ、１１８ｃが「第２リード板」の一例である。
【００３６】
（変形例２）
上記の実施例では、複数の電池セル１５は、上下方向の２段にて構成されている。しかしながら、複数の電池セル１５は、上下方向の１段にて構成されていてもよい。図８に示すように、複数の電池セル１５が上下方向の１段にて構成されている場合、複数の電池セル１５は、複数のリード板２１８ａ、２１８ｂ、２１８ｃによって、電気的に直列に接続される。この場合、セルケース１４の左側面側において、絶縁紙２１７ａは、リード板２１８ｂの表面全体と、リード板２１８ｂの左側面に隣接する範囲のセルケース１４と、に貼着されているとよい。これにより、電池パック２内に水、異物などが混入した場合においても、リード板２１８ａとリード板２１８ｂ、またはリード板２１８ｂとリード板２１８ｃの絶縁状態を維持することができる。これにより、電池パック２内に水、異物などが混入した場合に、リード板２１８ａとリード板２１８ｂ、およびリード板２１８ｂとリード板２１８ｃが短絡することを抑制することができる。
【００３７】
（変形例３）
上記の実施例では、複数のリード板１８ａ―１８ｅは、上下方向の１段で構成されている。しかしながら、図９に示すように、複数のリード板３１８ａ−３１８ｇは、上下方向に２段で構成されていてもよい。この場合、セルケース１４の左側面において、絶縁紙３１７ａは、複数のリード板３１８ａ、３１８ｃ、３１８ｄ、３１８ｆに貼着されているとよい。絶縁紙３１７ａにより、複数のリード板３１８ａ−３１８ｇのうち、隣接するリード板は絶縁される。例えば、絶縁紙３１７ａにより、リード板３１８ｆは、リード板３１８ｆに隣接する複数のリード板３１８ｂ、３１８ｅ、３１８ｇから絶縁される。従って、電池パック２内に水、異物などが混入した場合に、隣接するリード板が短絡することを抑制することができる。
【００３８】
（変形例４）
上記の実施例では、複数の電池セル１５は、複数の電池セル１５の長手軸が左右方向になるように配置されている。しかしながら、複数の電池セル１５は、複数の電池セル１５の長手軸が前後方向になるように配置されていてもよい。この場合、複数のリード板１８ａ―１８ｆは、セルケース１４の前面側または後面側に配置される。
【００３９】
（変形例５）
上記の実施例の複数の絶縁紙１７ａ、１７ｂは、１つのリード板１８の表面にのみ貼着されている。しかしながら、図１０に示すように、電池パック２において、１つのリード板４１８の表面にのみ貼着されている絶縁紙４１７ａと、複数のリード板４１８の表面をまたいで貼着される絶縁紙４１７ｂが混在していてもよい。図１０において、複数の絶縁紙４１７ａは、リード板４１８ａ、４１８ｆのそれぞれの表面にのみ貼着されており、絶縁紙４１７ｂは、リード板４１８ｃとリード板４１８ｄの表面をまたいで貼着されている。なお、絶縁紙４１７ｂは、短絡が発生しにくい複数のリード板４１８間の表面をまたいで貼着されているとよい。また、絶縁紙４１７ｂは、３つ以上のリード板４１８間の表面をまたいで貼着されていてもよい。
【００４０】
（変形例６）
また、図１１に示すように、互いに間隔を空けて配置されている複数のリード板５１８ａ−５１８ｇが上下方向に２段で構成されており、リード板５１８ａ、５１８ｃ、５１８ｅ、５１８ｆ、５１８ｇに絶縁シート５１７ａが貼着されていてもよい。なお、互いに間隔を空けて配置されている複数のリード板５１８とは、前後方向、または上下方向に互いに間隔を空けて配置されている複数のリード板５１８だけでなく、斜め方向に互いに間隔を空けて配置されている複数のリード板５１８も含んでいる。例えば、リード板５１８ｂとリード板５１８ｅは、斜め方向に互いに間隔を空けて配置されている複数のリード板５１８である。
【００４１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的な有用性を持つものである。
【符号の説明】
【００４２】
２      ：電池パック
４      ：電動工具
６      ：電池モジュール
８      ：アウターケース
１０    ：上部ケース
１２    ：下部ケース
１４    ：セルケース
１５    ：電池セル
１６    ：制御基板
１７    ：絶縁シート
１８    ：リード板
１９    ：リード板間の隙間
２０    ：放電プラス端子
２１    ：セルケースの凹部
２２    ：充放電マイナス端子
２４    ：充電プラス端子
２６    ：放電禁止信号端子
２８    ：充電制御信号端子
３０    ：第１開口
３２    ：第２開口
３４    ：第３開口
３６    ：第４開口
３８    ：電池取付部
４０    ：プラス端子
４２    ：マイナス端子
４４    ：信号端子
１１７  ：絶縁シート
１１８  ：リード板
１２０  ：リード板の端部
２１７  ：絶縁シート
２１８  ：リード板
３１７  ：絶縁シート
３１８  ：リード板
４１７  ：絶縁シート
４１８  ：リード板
５１７  ：絶縁シート
５１８  ：リード板
【図１】
0006629592.tif 000002
【図２】
0006629592.tif 000003
【図３】
0006629592.tif 000004
【図４】
0006629592.tif 000005
【図５】
0006629592.tif 000006
【図６】
0006629592.tif 000007
【図７】
0006629592.tif 000008
【図８】
0006629592.tif 000009
【図９】
0006629592.tif 000010
【図１０】
0006629592.tif 000011
【図１１】
0006629592.tif 000012